(57)【要約】【課題】自動車用ドアラッチ装置において、ラッチ本体の共用化を向上させ、コストを低減させる。【解決手段】アクチュエータ３におけるハウジング２１の収容部２１ｂに、車内側に設けられる施解錠操作ノブの施解錠操作により施解錠手段を施錠状態及び解錠状態に切り替え可能に施解錠手段に連結されるノブレバー２７と、車内側に設けられるインサイドハンドルの開扉操作により、アウトサイドレバーを解除方向へ移動可能に連結されるインサイドレバー３２とを設ける。【選択図】        図１
2004156328.tif 000002
【特許請求の範囲】
【請求項１】
ストライカと係脱可能な噛合手段と、車外側に設けられるアウトサイドハンドルの開扉操作により解除方向に移動可能なアウトサイドレバーと、該アウトサイドレバーの解除方向への移動に連動して、前記噛合手段とストライカとの係合を解除可能とする解錠状態と解除不能とする施錠状態とに切り替え可能な施解錠手段とを有するラッチ本体と、該ラッチ本体に取り付けられ、前記施解錠手段をモータ駆動により施錠状態及び解錠状態に切り替え可能なアクチュエータとを備える自動車用ドアラッチ装置において、
前記アクチュエータにおけるハウジングの収容部に、車内側に設けられる施解錠操作ノブの施解錠操作により、前記施解錠手段を施錠状態及び解錠状態に切り替え可能に前記施解錠手段に連結されるノブレバーと、車内側に設けられるインサイドハンドルの開扉操作により、前記アウトサイドレバーを解除方向へ移動可能に連結されるインサイドレバーとを設けたことを特徴とする自動車用ドアラッチ装置。
【請求項２】
ハウジングの収容部をカバーにより閉塞した請求項１記載の自動車用ドアラッチ装置。
【請求項３】
インサイドレバーをハウジングのカバー側に枢着した請求項２記載の自動車用ドアラッチ装置。
【発明の詳細な説明】
【０００１】
【発明の属する技術分野】
本発明は、自動車用ドアラッチ装置に関し、詳しくは、施解錠手段を設けたラッチ本体に、施解錠手段を操作可能なアクチュエータを取り付けた自動車用ドアラッチ装置に関する。
【０００２】
【従来の技術】
従来、自動車用ドアラッチ装置においては、車体側に固定されたストライカと係脱可能な噛合手段と、車外側に設けられるアウトサイドハンドルの開扉操作により解除方向に移動可能なアウトサイドレバーと、アウトサイドレバーの解除方向への移動に連動して、噛合手段とストライカとの係合を解除可能とする解錠状態と解除不能とする施錠状態とに切り替え可能な施解錠手段とを設けたラッチ本体に、モータ駆動のアクチュエータを取り付けるとともに、アクチュエータの出力レバーを施解錠手段に連結して、モータを駆動させることにより、施解錠手段を施錠状態及び解錠状態に切り替えるようになっている（例えば、特許文献１参照）。
【０００３】
【特許文献１】
特許２８８４４６４号公報
【０００４】
【発明が解決しようとする課題】
しかし、上述のような従来の自動車用ドアラッチ装置においては、フロントドア用、リヤドア用等の各種バリエーションに応じて、構成の変更を最も多く必要とする車内側操作系のインサイドレバー、ノブレバーをラッチ本体側に設けているため、ラッチ本体の共用化が困難となり、コストの上昇を招くおそれがある。
【０００５】
本発明は、従来の技術が有する上記のような問題点に鑑み、ラッチ本体の共用化を向上させ、コストを低減させることができるようにした自動車用ドアラッチ装置を提供することを目的としている。
【０００６】
【課題を解決するための手段】
本発明によると、上記課題は、次のようにして解決される。
（１）ストライカと係脱可能な噛合手段と、車外側に設けられるアウトサイドハンドルの開扉操作により解除方向に移動可能なアウトサイドレバーと、該アウトサイドレバーの解除方向への移動に連動して、前記噛合手段とストライカとの係合を解除可能とする解錠状態と解除不能とする施錠状態とに切り替え可能な施解錠手段とを有するラッチ本体と、該ラッチ本体に取り付けられ、前記施解錠手段をモータ駆動により施錠状態及び解錠状態に切り替え可能なアクチュエータとを備えた自動車用ドアラッチ装置において、前記アクチュエータにおけるハウジングの収容部に、車内側に設けられる施解錠操作ノブの施解錠操作により、前記施解錠手段を施錠状態及び解錠状態に切り替え可能に前記施解錠手段に連結されるノブレバーと、車内側に設けられるインサイドハンドルの開扉操作により、前記アウトサイドレバーを解除方向へ移動可能に連結されるインサイドレバーとを設ける。
【０００７】
（２）上記（１）項において、ハウジングの収容部をカバーにより閉塞する。
【０００８】
（３）上記（２）項において、インサイドレバーをハウジングのカバー側に枢着する。
【０００９】
【発明の実施の形態】
以下、本発明の一実施形態を、図面に基づいて説明する。図１は、本発明に係わるドアラッチ装置（１）の正面図、図２は、ドアラッチ装置（１）の側面図、図３は、ラッチ本体（２）とアクチュエータ（３）との組み付け前の正面図である。
なお、以下の説明では、図１及び図３における左方を自動車の「後方」、右方を「前方」とし、図２における左方を「車内側」、右方を「車外側」とする。
【００１０】
ドアラッチ装置（１）は、自動車におけるドアの内部後端に複数のボルト（図示略）をもって固定されるラッチ本体（２）と、ラッチ本体（２）に取り付けられるアクチュエータ（３）とにより形成される。
【００１１】
ラッチ本体（２）における合成樹脂製の箱状のボディ（４）の収容部（４ｃ）には、図４及び図５に示すように、前後方向を向く枢軸（５）により枢着され、かつ車体側に固着されたストライカ（６）と係脱可能なラッチ（７）と、前後方向を向く枢軸（８）により枢着され、かつラッチ（７）の外周縁に設けられた爪部（７ａ）（７ｂ）に係脱可能なロッキングプレート（９）とが設けられている。
【００１２】
ラッチ（７）は、図４に示すように、ストライカ（６）が離脱したオープン位置と、図５に示すように、オープン位置から時計方向へ回動して、ストライカ（６）と係合するクローズ位置との間を回動することができる。
【００１３】
ロッキングプレート（９）は、ラッチ（７）の爪部（７ｂ）（または爪部（７ａ））に係合して、ラッチ（７）のオープン方向（図５において反時計方向）への回動を阻止する図５に示す係合位置と、係合位置から解除方向（図５において反時計方向）へ回動して、爪部（７ｂ）（または爪部（７ａ））から離脱する解除位置との間を回動することができる。
【００１４】
ボディ（４）の収容部（４ｃ）は、金属製のカバープレート（３８）（図８に示す）により閉塞される。ラッチ（７）は、ばね（図示略）によりオープン方向（図４及び図５において反時計方向）に、また、ロッキングプレート（９）は、ばね（３７）により係合方向（図４及び図５において時計方向）に、それぞれ付勢されている。
【００１５】
なお、本発明に係わる実施形態においては、ラッチ（７）とロッキングプレート（９）とによって噛合手段が形成されている。
【００１６】
ボディ（４）の前面側に固定され、かつ上方から見てＬ字型の金属製のベースプレート（１１）には、図６及び図７に示すように、前後方向を向く軸部（１０ａ）により枢着され、かつラッチ（７）と同期して回動する検出レバー（１０）と、ロッキングプレート（９）の枢軸（８）に固着され、ロッキングプレート（９）と一体的に回動可能なオープンレバー（１２）と、後方へ突出する軸部（１３ａ）を一体的に形成し、この軸部（１３ａ）をもって枢着される施解錠手段の一部を形成する施解錠レバー（１３）と、前後方向を向く枢軸（１５）により枢着されるとともに、ドアの車外側に設けられるアウトサイドハンドル（図示略）に連結部材（図示略）を介して連結されるアウトサイドレバー（１４）と、施解錠レバー（１３）とアウトサイドレバー（１４）との間に架設される施解錠手段の他の一部を形成する第１及び第２サブレバー（１６）（１７）と、検出レバー（１０）をもってラッチ（７）のオープン位置を検出する検出スイッチ（３９）とが設けられている。
【００１７】
施解錠レバー（１３）は、車内側を向く外周縁に設けられた係合部（１３ｃ）と、車内側を向く端部に設けられて前方へ突出する連結部（１３ｄ）とを有し、後述するように、ドアの車内側に設けられた施解錠操作ノブ（図示略）の施解錠操作、及びアクチュエータ（３）におけるモータ駆動により、図６に示す施錠位置と図７に示す解錠位置とに回動させられる。
【００１８】
アウトサイドレバー（１４）は、アウトサイドハンドルが開扉操作（ドアを開ける操作）されると、図６に示す待機位置から、ばね（１８）の付勢力に抗して解除方向（図６において反時計方向）へ回動して、図７に示す解除位置に回動させられる。
【００１９】
第１サブレバー（１６）は、下端部が前後方向を向く連結軸（１９）によりアウトサイドレバー（１４）に枢着されるとともに、上端部に設けられた上下方向の長孔（１６ａ）が施解錠レバー（１３）の下端部に設けられた突部（１３ｂ）に摺動可能に係合されている。
【００２０】
第２サブレバー（１７）は、下端部が連結軸（１９）をもって第１サブレバー（１６）に枢着されるとともに、ばね（２０）により第１サブレバー（１６）に対して時計方向へ付勢されて、右上縁に設けられた肩部（１７ａ）が第１サブレバー（１６）の当接部（１６ｂ）に当接することによって、図６に示す位置に保持されている。
【００２１】
第２サブレバー（１７）の中央部には、オープンレバー（１２）に設けられた前方を向く係合部（１２ａ）に係脱可能な解除部（１７ｂ）が設けられている。
【００２２】
第１及び第２サブレバー（１６）（１７）は、施解錠レバー（１３）が施錠位置にあるとき図６に示す施錠位置にあり、また、施解錠レバー（１３）が施錠位置から解錠位置へ回動することにより、施錠位置から時計方向へ所定量回動する解錠位置に揺動する。
【００２３】
第２サブレバー（１７）の解除部（１７ｂ）は、第２サブレバー（１７）が施錠位置にあるとき、オープンレバー（１２）の係合部（１２ａ）に対して空振りする位置にあり、また、解錠位置にあるとき、オープンレバー（１２）の係合部（１２ａ）に対して上方から係合可能な位置にある。
【００２４】
施解錠レバー（１３）、第１及び第２サブレバー（１６）（１７）が解錠位置にあるとき、アウトサイドハンドルの開扉操作をもって、アウトサイドレバー（１４）が解除方向へ回動させられると、それに連動して、第１及び第２サブレバー（１６）（１７）は解除方向へ移動する。これにより、第２サブレバー（１７）の解除部（１７ｂ）は、オープンレバー（１２）の係合部（１２ａ）に上方から当接して、オープンレバー（１２）を解除方向（図６及び図７において時計方向）へ回動させる。オープンレバー（１２）が解除方向へ回動すると、ロッキングプレート（９）は、解除方向へ回動して、ラッチ（７）の爪部（７ａ）または（７ｂ）から離脱して、ラッチ（７）のオープン方向への拘束を解いてドアを開けることができる。
【００２５】
また、施解錠レバー（１３）、第１及び第２サブレバー（１６）（１７）が施錠位置にあるときには、アウトサイドハンドルの開扉操作をもって、アウトサイドレバー（１４）を解除方向へ回動させて、第１及び第２サブレバー（１６）（１７）を解除方向へ移動させても、第２サブレバー（１７）の解除部（１７ｂ）がオープンレバー（１２）の係合部（１２ａ）に対して空振りし、ロッキングプレート（９）を解除方向へ回動させることはできない。したがって、施解錠レバー（１３）が施錠位置にあるときには、アウトサイドハンドルの開扉操作をもってドアを開けることはできない。
【００２６】
検出レバー（１０）は、図８、図１０及び図１１に示すように、ボディ（４）の上部隅部に設けられた嵌合孔（４ａ）に回動可能に嵌合される軸部（１０ａ）と、軸部（１０ａ）の後端側に設けられ、ボディ（４）の通過孔（４ｂ）（図８に示す）を通過してボディ（４）の収容部（４ｃ）に延出し、ラッチ（７）の側面に設けられたカム溝（７ｃ）に摺動可能に係合される突起（１０ｄ）を先端に設けたアーム部（１０ｂ）と、軸部（１０ａ）の前端側に設けられ、ボディ（４）の前面側に沿って延出するとともに、ラッチ（７）がオープン位置にあるとき、施解錠レバー（１３）の解錠位置から施錠位置への回動を阻止する阻止部（１０ｃ）と、ボディ（４）の前面側に沿って下方に延出するとともに、検出スイッチ（３９）のアクチュエータ部（３９ａ）に当接して、検出スイッチ（３９）を作動させる検出部（１０ｅ）とを有している。
【００２７】
検出レバー（１０）の検出部（１０ｅ）は、検出スイッチ（３９）のアクチュエータ部（３９ａ）に当接する際の衝撃を吸収し得るように、移動方向に弾性変形し得るようにほぼＵ字状をなしている。
【００２８】
検出レバー（１０）は、前述のように、アーム部（１０ｂ）の突起（１０ｄ）がラッチ（７）のカム溝（７ｃ）に摺動可能に係合されることにより、ラッチ（７）の回動に同期して、ラッチ（７）がオープン位置にあるとき、図７に示すように、検出部（１０ｅ）が検出スイッチ（３９）のアクチュエータ部（３９ａ）に当接して、検出スイッチ（３９）を作動させるオープン位置に回動し、また、ラッチ（７）がクローズ位置にあるとき、図６に示すように、検出部（１０ｅ）が検出スイッチ（３９）のアクチュエータ部（３９ａ）から離間するクローズ位置に回動する。
【００２９】
図７に示すように、検出レバー（１０）がオープン位置にあって、かつ施解錠レバー（１３）が解錠位置にあるときは、検出レバー（１０）の阻止部（１０ｃ）が施解錠レバー（１３）の係合部（１３ｃ）に係合して、施解錠レバー（１３）の解錠位置から施錠位置への回動が阻止される。また、この状態で、ドアが閉じられると、図６に示すように、ラッチ（７）の回動に連動して検出レバー（１０）がクローズ位置に回動することにより、検出レバー（１０）の阻止部（１０ｃ）が施解錠レバー（１３）の係合部（１３ｃ）から離脱して、施解錠レバー（１３）の施錠位置から解錠位置への回動が可能となる。
【００３０】
上述のように、検出レバー（１０）は、検出スイッチ（３９）を作動させて、ドアの開閉状態を検出させる構成（検出部（１０ｅ））と、ドアが開いているときの施解錠操作ノブの施錠操作を阻止して、車内キー忘れを防止する構成（阻止部（１０ｃ））とを有している。
【００３１】
次に、アクチュエータ（３）について詳細に説明する。図１２は、アクチュエータ（３）におけるハウジング（２１）のカバー（２２）を外した状態の正面図、図１３は、カバー（２２）の内面側を示す裏面図である。
【００３２】
アクチュエータ（３）は、上方から見てほぼＬ字状をなす合成樹脂製のハウジング（２１）と、ハウジング（２１）における収容部（２１ｂ）の開口を閉塞する合成樹脂製のカバー（２２）とを有して、図３に示す矢印ＶＩ方向から、ラッチ本体（２）の前面側に組み付けられ、図１及び図２に示すように、ラッチ本体（２）側のベースプレート（１１）に固定される。
【００３３】
ハウジング（２１）は、オープンレバー（１２）、施解錠レバー（１３）、アウトサイドレバー（１４）、第１及び第２サブレバー（１６）（１７）が設けられたラッチ本体（２）の前面側を覆う覆い部（２１ａ）と、アクチュエータ（３）側に設けられる後述の各種部品を収容する前述の収容部（２１ｂ）とを有し、ベースプレート（１１）の上下部に設けた折曲部（１１ａ）に嵌合されることによってラッチ本体（２）側に固定される。
【００３４】
ハウジング（２１）は、上述の構成により、アクチュエータ（３）側の各種部品を収容する機能と、ドアラッチ装置（１）における防水、防盗用カバーの機能とを兼ね備えたものとなっている。
【００３５】
ハウジング（２１）の収容部（２１ｂ）には、図１２に示すように、キー等に内蔵された遠隔操作スイッチの操作により駆動可能な第１及び第２モータ（２３）（２４）と、第１モータ（２３）の出力軸に固結されたウォーム（２３ａ）に噛合して回転するウォームホイール（２５）と、ウォームホイール（２５）に設けられたピニオン（２５ａ）に噛合し、上下方向へ移動可能な連係レバー（２６）と、車内外方向を向く枢軸（２８）により枢着されるとともに、施解錠用操作ノブにワイヤ等の連係部材（４０）（図１に示す）を介して連結されるノブレバー（２７）と、車内外方向を向く枢軸（２９）により枢着され、かつ枢軸（２８）により枢着されたギヤ（３０）を介して、第２モータ（２４）により回動させられるセクタギヤ（３１）とが設けられている。
【００３６】
カバー（２２）は、ハウジング（２１）における収容部（２１ｂ）を閉塞するようにハウジング（２１）に固定されるとともに、カバー（２２）の収容部（２１ｂ）と対向する側の内面側には、図１３に示すように、車内外方向を向く枢軸（３３）により枢着されるとともに、ドアの車内側に設けられるインサイドハンドル（図示略）にワイヤ等の連係部材（４１）（図１に示す）を介して連結されるインサイドレバー（３２）と、インサイドレバー（３２）と一体的に回動可能で、かつインサイドレバー（３２）に対して前後方向に摺動可能に支持された切替レバー（３４）とが設けられている。
【００３７】
なお、本実施形態おいて、インサイドレバー（３２）に切替レバー（３４）を設けた構成としているが、この構成に特定されるものでなく、切替レバー（３４）を有しない構成であっても良い。
【００３８】
連係レバー（２６）は、上下方向のほぼ中央部に設けられた肩部（２６ｂ）と、枢軸（３５）により枢着された係脱レバー（３６）と、施解錠レバー（１３）の連結部（１３ｄ）が嵌合される連結孔（２６ａ）とを有し、肩部（２６ｂ）と係脱レバー（３６）の上端部（３６ａ）との間に、ノブレバー（２７）に設けられた係合部（２７ａ）が嵌合されることによって、ノブレバー（２７）と連結され、また、ハウジング（２１）をラッチ本体（２）に組み付けることにより、連結孔（２６ａ）に施解錠レバー（１３）の連結部（１３ｄ）が嵌合して、施解錠レバー（１３）と連結される。
【００３９】
上述のように、ノブレバー（２７）が連係レバー（２６）に連結され、また連係レバー（２６）が施解錠レバー（１３）に連結されることにより、第１モータ（２３）をもって、連係レバー（２６）を介して、施解錠レバー（１３）及びノブレバー（２７）を施錠位置及び解錠位置に回動させることができ、また、施解錠操作ノブの施解錠操作をもって、ノブレバー（２７）を介して、連係レバー（２６）及び施解錠レバー（１３）を施錠位置及び解錠位置に移動させることができる。
【００４０】
セクタギヤ（３１）は、第２モータ（２４）により、図１２及び図１５に示す施錠位置と、施錠位置から反時計方向へ所定量回動する解錠位置とに回動可能であって、施錠位置にあるときには、係脱レバー（３６）の上端部（３６ａ）を、図１２及び図１５に示すように、ノブレバー（２７）の係合部（２７ａ）に対して係合不能な位置に没入させ、また、セクタギヤ（３１）が解錠位置にあるときには、セクタギヤ（３１）の長孔（３１ａ）と係脱レバー（３６）の突部（３６ｂ）が係合して、係脱レバー（３６）の上端部（３６ａ）を、図１６に示すように、ノブレバー（２７）の係合部（２７ａ）に対して係合可能な位置に突出させて、前述のように、ノブレバー（２７）と連係レバー（２６）とを連結する。
【００４１】
切替レバー（３４）は、ほぼ中央部に設けられた突部（３４ａ）が、セクタギヤ（３１）に設けられた上下方向の長孔（３１ｂ）に摺動可能に嵌合され、セクタギヤ（３１）の施錠位置、解錠位置への回動に連動して、図１３に示すように、インサイドレバー（３２）の作動端より内側に没入して、アウトサイドレバー（１４）の係合端部（１４ａ）に対して係合不能な施錠位置と、図１３に想像線で示すように移動して、インサイドレバー（３２）の作動端より突出し、アウトサイドレバー（１４）の係合端部（１４ａ）と係合可能な図１６に示す解錠位置とに移動し得るようになっている。
【００４２】
インサイドレバー（３２）は、切替レバー（３４）が解錠位置にあり、かつ連係レバー（２６）が施錠位置にあるとき、インサイドハンドルの開扉操作により、解除方向（図１３において時計方向、図１６において反時計方向）へ回動させられると、図１６に示すように、切替レバー（３４）の突部（３４ａ）が連係レバー（２６）の係合部（２６ｃ）に上方から係合して、連係レバー（２６）を解錠位置に移動させることができる。
【００４３】
施解錠レバー（１３）、第１及び第２サブレバー（１６）（１７）、連係レバー（２６）、ノブレバー（２７）、セクタギヤ（３１）、切替レバー（３４）の全てが解錠位置にあるとき、インサイドハンドルの開扉操作をもって、インサイドレバー（３２）及び切替レバー（３４）を解除方向へ回動させると、切替レバー（３４）がアウトサイドレバー（１４）の係合端部（１４ａ）に当接して、アウトサイドレバー（１４）を解除方向へ回動させて、ドアを開けることができる。
【００４４】
セクタギヤ（３１）及び切替レバー（３４）が解錠位置にあり、かつ施解錠レバー（１３）、第１及び第２サブレバー（１６）（１７）、連係レバー（２６）、並びにノブレバー（２７）が施錠位置にあるとき、インサイドハンドルの開扉操作をもって、インサイドレバー（３２）及び切替レバー（３４）を解除方向へ回動させると、切替レバー（３４）がアウトサイドレバー（１４）の係合端部（１４ａ）に係合して、アウトサイドレバー（１４）を待機位置から解除位置に移動させる。また、これより遅いタイミングで、図１６に示すように、切替レバー（３４）の突部（３４ａ）が、連係レバー（２６）の係合部（２６ｃ）に係合して、連係レバー（２６）を施錠位置から解錠位置へ移動させる。
【００４５】
解除方向へ回動させられたアウトサイドレバー（１４）は、第１及び第２サブレバー（１６）（１７）を施錠位置のまま解除方向へ移動させる。これにより、第２サブレバー（１７）は、解除部（１７ｂ）がオープンレバー（１２）における係合部（１２ａ）に対して空振りしてその側方を移動する。
【００４６】
この状態で、施解錠レバー（１３）が、連係レバー（２６）を介して、施錠位置から解錠位置へ移動させられると、図７に示すように、第２サブレバー（１７）における解除部（１７ｂ）の側方がオープンレバー（１２）の係合部（１２ａ）の側面に当接して、解錠方向への移動が阻止される。これにより、第１サブレバー（１６）のみが、ばね（２０）の付勢力に抗して、施解錠レバー（１３）と共に施錠位置から解錠位置に移動する。
【００４７】
この状態で、アウトサイドハンドルの開扉操作を一旦止めて、アウトサイドレバー（１４）を待機位置に復帰させると、第１及び第２サブレバー（１６）（１７）が上方へ復帰移動して、第２サブレバー（１７）の解除部（１７ｂ）とオープンレバー（１２）における係合部（１２ａ）の側面との当接関係が離脱し、第２サブレバー（１７）は、ばね（２０）の付勢力により解錠位置に移動させられる。
【００４８】
次いで、アウトサイドハンドルを再度、開扉操作してアウトサイドレバー（１４）を解除方向へ回動させて、第１及び第２サブレバー（１６）（１７）を解除方向へ移動させると、第２サブレバー（１７）の解除部（１７ｂ）がオープンレバー（１２）の係合部（１２ａ）に当接して、オープンレバー（１２）を解除方向へ回動させることができる。これにより、ロッキングプレート（９）は、ラッチ（７）の爪部（７ａ）または（７ｂ）から離脱して、ラッチ（７）のオープン方向への回動を自由にして、ドアを開けることができる。
【００４９】
上述のように、施解錠手段（施解錠レバー（１３）及び第１及び第２サブレバー（１６）（１７））が施錠状態にあっても、車内側からインサイドハンドルの１回目の開扉操作をもって、施解錠手段を解錠状態とし、そして、インサイドハンドルの２回目の開扉操作をもって、ドアを開けることができる。これにより、施解錠手段が施錠状態にあっても、車内側からは、ダブルアクション操作をもって、施解錠操作ノブを解錠操作することなく、迅速にドアを開けることができる。
【００５０】
図１２及び図１５に示すように、係脱レバー（３６）が施錠位置にあるときは、ノブレバー（２７）の施錠位置から解錠位置への回動に際して、ノブレバー（２７）の係合部（２７ａ）が係脱レバー（３６）の上端部（３６ａ）と係合することはできない。これにより、施解錠操作ノブを施錠位置から解錠位置に移動させて、ノブレバー（２７）を解錠位置へ回動させても、ノブレバー（２７）の施錠位置から解錠位置への回動が連係レバー（２６）に伝達されないので、施錠状態にあるドアを不正行為により、解錠状態とすることはできない。
【００５１】
以上のように、施解錠操作ノブ及びインサイドハンドルに連結される車内側操作系のノブレバー（２７）とインサイドレバー（３２）とを、アクチュエータ（３）側に設けたことにより、ラッチ本体（２）側には、車内側操作系の部品を一切設ける必要がなくなる。したがって、ラッチ本体（２）には、ラッチ手段、施解錠手段等のバリエーションに応じて設計変更をあまり必要としない必要最小限の構成を設けるだけで済むので、ラッチ本体（２）の共用化を促進させて、コストの低減を図ることができる。
【００５２】
また、カバー（２２）をハウジング（２１）に固定して、収容部（２１ｂ）を閉塞したことにより、主に図１５に示すように、インサイドレバー（３２）及び切替レバー（３４）は、連係レバー（２６）、ノブレバー（２７）、セクタギヤ（３１）等に対して、車内外方向に重合するようにして設けることができる。この構成により、ハウジング（２１）内の収納スペースを有効に使用でき、アクチュエータ（３）の小型化を図ることができる。さらには、収容部（２１ｂ）内への雨水浸入を阻止するとともに、不正行為により収容部（２１ｂ）に設けられた各種部品が弄られることがないので、防盗効果の向上が図られる。
【００５３】
【発明の効果】
本発明によれば、次のような効果を奏することができる。
（ａ）請求項１記載の発明によると、車内側操作系のノブレバー及びインサイドレバーをアクチュエータ側に設けたので、ラッチ本体側には車内側操作系の部品を一切設ける必要がないので、各種バリエーションに応じて設計変更をあまり必要としない必要最小限の部品を設けるだけでよいので、ラッチ本体の共用化を促進させて、コストの低減を図ることができる。
【００５４】
（ｂ）請求項２記載の発明によると、ハウジングの収容部をカバーにより閉塞したことにより、防水、防盗効果の向上を図ることができる。
【００５５】
（ｃ）請求項３記載の発明によると、インサイドレバーとノブレバーとを重合させた状態で、ハウジングの収容部に配置することができるので、ハウジングの収納スペースを有効に使用でき、アクチュエータの小型化を図ることができる。
【図面の簡単な説明】
【図１】本発明に係わるドアラッチ装置の正面図である。
【図２】同じく、ドアラッチ装置の側面図である。
【図３】同じく、ラッチ本体とアクチュエータとの組み付け前の正面図である。
【図４】同じく、ラッチがオープン位置にあるときの、ラッチ本体の内部構造を示す図３におけるＩＶ矢視図である。
【図５】同じく、ラッチがクローズ位置にあるときの、ラッチ本体の内部構造を示す図３におけるＩＶ矢視図である。
【図６】同じく、ラッチ本体の側面図である。
【図７】同じく、ダブルアクション操作が行われているときの、ラッチ本体の側面図である。
【図８】図７におけるＶＩＩＩ−ＶＩＩＩ線に沿う横断平面図である。
【図９】ラッチ本体における要部の拡大側面図である。
【図１０】検出レバーの側面図である。
【図１１】図１０におけるＸＩ矢視図である。
【図１２】アクチュエータにおけるハウジングのカバーを外した状態の正面図である。
【図１３】アクチュエータにおけるカバーの内面側を示す裏面図である。
【図１４】図１３におけるＸＩＶ−ＸＩＶ線に沿う縦断面図である。
【図１５】アクチュエータにおける要部の正面図である。
【図１６】ダブルアクション操作が行われているときの、アクチュエータにおける要部の拡大正面図である。
【符号の説明】
（１）ドアラッチ装置
（２）ラッチ本体
（３）アクチュエータ
（４）ボディ
（４ａ）嵌合孔
（４ｂ）通過孔
（４ｃ）収容部
（５）枢軸
（６）ストライカ
（７）ラッチ（噛合手段）
（７ａ）（７ｂ）爪部
（７ｃ）カム溝
（８）枢軸
（９）ロッキングプレート（噛合手段）
（１０）検出レバー
（１０ａ）軸部
（１０ｂ）アーム部
（１０ｃ）阻止部
（１０ｄ）突起
（１０ｅ）検出部
（１１）ベースプレート
（１１ａ）折曲部
（１２）オープンレバー
（１２ａ）係合部
（１３）施解錠レバー（施解錠手段）
（１３ａ）軸部
（１３ｂ）突部
（１３ｃ）係合部
（１３ｄ）連結部
（１４）アウトサイドレバー
（１４ａ）係合端部
（１５）枢軸
（１６）第１サブレバー（施解錠手段）
（１６ａ）長孔
（１６ｂ）当接部
（１７）第２サブレバー（施解錠手段）
（１７ａ）肩部
（１７ｂ）解除部
（１８）ばね
（１９）連結軸
（２０）ばね
（２１）ハウジング
（２１ａ）覆い部
（２１ｂ）収容部
（２２）カバー
（２３）第１モータ
（２３ａ）ウォーム
（２４）第２モータ
（２５）ウォームホイール
（２５ａ）ピニオン
（２６）連係レバー
（２６ａ）連結孔
（２６ｂ）肩部
（２６ｃ）係合部
（２７）ノブレバー
（２７ａ）係合部
（２８）（２９）枢軸
（３０）ギヤ
（３１）セクタギヤ
（３１ａ）（３１ｂ）長孔
（３２）インサイドレバー
（３３）枢軸
（３４）切替レバー
（３４ａ）突部
（３５）枢軸
（３６）係脱レバー
（３６ａ）上端部
（３６ｂ）突部
（３７）ばね
（３８）カバープレート
（３９）検出スイッチ
（３９ａ）アクチュエータ部
（４０）（４１）連係部材
【図１】
2004156328.tif 000003
【図２】
2004156328.tif 000004
【図３】
2004156328.tif 000005
【図４】
2004156328.tif 000006
【図５】
2004156328.tif 000007
【図６】
2004156328.tif 000008
【図７】
2004156328.tif 000009
【図８】
2004156328.tif 000010
【図９】
2004156328.tif 000011
【図１０】
2004156328.tif 000012
【図１１】
2004156328.tif 000013
【図１２】
2004156328.tif 000014
【図１３】
2004156328.tif 000015
【図１４】
2004156328.tif 000016
【図１５】
2004156328.tif 000017
【図１６】
2004156328.tif 000018